(57)【要約】【課題】  画像縮小時、文字の線が消えてしまうなどの不具合を防止することができる画像処理装置を提供する。【解決手段】  入力された画像データに対し所定の処理を行って出力する画像処理装置であって、前記入力された画像データを特定領域と非特定領域に分離する分離手段（Ｓ１０２）と、前記分離された特定領域と非特定領域とをそれぞれ異なる方式により縮小する縮小手段（Ｓ１０３、Ｓ１０４）と、前記縮小された特定領域と非特定領域とを合成して表示する合成表示手段（Ｓ１０５）とを備えるようにした。【選択図】  図２
2006222940.tif 000002
【特許請求の範囲】
【請求項１】
入力された画像データに対して所定の処理を行って出力する画像処理装置であって、
前記入力された画像データを特定領域と非特定領域に分離する分離手段と、
該分離手段により分離された特定領域と非特定領域とをそれぞれ異なる縮小方式により縮小する縮小手段と、
を備えることを特徴とする画像処理装置。
【請求項２】
前記縮小された特定領域と非特定領域とを合成して表示する合成表示手段を備えることを特徴とする請求項１に記載の画像処理装置。
【請求項３】
前記縮小手段による異なる縮小方式は、前記非特定領域の特性に応じて切り替えられることを特徴とする請求項１又は請求項２に記載の画像処理装置。
【請求項４】
前記分離された特定領域と非特定領域とをそれぞれ異なる圧縮方式で圧縮する圧縮手段を備えることを特徴とする請求項１乃至請求項３の何れか１項に記載の画像処理装置。
【請求項５】
前記合成表示手段は、前記縮小手段により作成された縮小画像と、前記圧縮手段により作成された圧縮画像とを、夫々合成して表示することを特徴とする請求項２に記載の画像処理装置。
【請求項６】
前記分離手段は、処理対象画像である多値画像を取得する多値画像取得手段と、
前記多値画像取得手段により取得された多値画像から二値画像を取得する二値画像取得手段と、
前記二値画像の特定の属性を持つ領域を抽出する特定属性部抽出手段と、
前記二値画像において前記特定の属性ではない領域に対応する部分を白画素に置換する白画素置換手段と、
前記多値画像の前記特定属性部分の画素を消去した画像を生成する特定属性部消去画像生成手段と、
前記特定属性部分を構成する色を決定する特定属性色決定手段と、
決定した各色からなる前記特定属性二値画像を生成する特定属性画素画像生成手段と、
を備えることを特徴とする請求項１乃至請求項５の何れか１項に記載の画像処理装置。
【請求項７】
前記圧縮手段は、前記非特性属性の多値画像と決定した各色からなる前記特定属性二値画像を各々に別の方式で圧縮符号化することを特徴とする請求項６に記載の画像処理装置。
【請求項８】
前記縮小手段により作成した特定領域と非特定領域の縮小画像と、前記圧縮手段により作成した特定領域と非特定領域の圧縮画像を複数のレイアとして１つのファイルに合成して保存する保存手段を備えたことを特徴とする請求項４に記載の画像処理装置。
【請求項９】
前記縮小手段により作成した特定領域と非特定領域の縮小画像を合成した合成縮小画像、及び前記圧縮手段により作成した特定領域と非特定領域の圧縮画像を合成した合成圧縮画像を送信可能としたことを特徴とする請求項８に記載の画像処理装置。
【請求項１０】
前記縮小手段により作成した特定領域と非特定領域の縮小画像を合成した合成縮小画像、及び前記圧縮手段により作成した特定領域と非特定領域の圧縮画像を合成した前記合成圧縮画像を印刷可能としたこと特徴とする請求項８に記載の画像処理装置。
【発明の詳細な説明】
【技術分野】
【０００１】
本発明は、入力された画像データに対し所定の処理を行って出力する画像処理装置に関し、特に、画像縮小時に文字の線が消えてしまうなどの不具合を防止することができる画像処理装置に関するものである。
【背景技術】
【０００２】
従来、文書管理システムなどでは登録された文書を表示するときに、画像を縮小してサムネール画像として表示する画像高圧縮化方法が用いられているが、簡単に高圧縮画像を作成するためには、画像を単純に所定のステップで間引きを行うことで実現していた。
しかしながら、この画像を単純に所定のステップで間引きを行う方法は文字などの細い線が消えてしまうという不具合があった。
これを解決するために、例えば特許文献１に画像を平均色に縮小する処理と、まびき処理する方法を組み合わせることにより、高速かつ小規模で原画像に忠実な縮小画像を作成する画像処理装置が開示されている。
特許文献２には文字と文字以外の画像を含むカラー画像から正確に文字領域抽出を行うことができる画像処理方法が開示されている。
【特許文献１】特開２００４−１１２３４６公報
【特許文献２】特開２００２−２８８５８９公報
【発明の開示】
【発明が解決しようとする課題】
【０００３】
しかしながら、上記特許文献１に開示されているように縮小処理と間引き処理を組み合わせたとしても文字部の線が消えてしまうことがあった。
そこで、本発明は上述した問題点を解決するためのもので、その目的は画像縮小時に文字の線が消えてしまう不具合を防止することができる画像処理装置を提供することである。
【課題を解決するための手段】
【０００４】
上述の目的を達成するために、請求項１記載の発明は、入力された画像データに対して所定の処理を行って出力する画像処理装置であって、前記入力された画像データを特定領域と非特定領域に分離する分離手段と、該分離手段により分離された特定領域と非特定領域とをそれぞれ異なる縮小方式により縮小する縮小手段と、を備えることを特徴とする。
また請求項２記載の発明は、前記縮小された特定領域と非特定領域とを合成して表示する合成表示手段を備えることを特徴とする。
また請求項３記載の発明は、前記縮小手段による異なる縮小方式は、前記非特定領域の特性に応じて切り替えられることを特徴とする。
また請求項４記載の発明は、前記分離された特定領域と非特定領域とをそれぞれ異なる圧縮方式で圧縮する圧縮手段を備えることを特徴とする。
【０００５】
また請求項５記載の発明は、前記合成表示手段は、前記縮小手段により作成された縮小画像と、前記圧縮手段により作成された圧縮画像とを、夫々合成して表示することを特徴とする。
また請求項６記載の発明は、前記分離手段は、処理対象画像である多値画像を取得する多値画像取得手段と、前記多値画像取得手段により取得された多値画像から二値画像を取得する二値画像取得手段と、前記二値画像の特定の属性を持つ領域を抽出する特定属性部抽出手段と、前記二値画像において前記特定の属性ではない領域に対応する部分を白画素に置換する白画素置換手段と、前記多値画像の前記特定属性部分の画素を消去した画像を生成する特定属性部消去画像生成手段と、
前記特定属性部分を構成する色を決定する特定属性色決定手段と、決定した各色からなる前記特定属性二値画像を生成する特定属性画素画像生成手段と、を備えることを特徴とする。
【０００６】
また請求項７記載の発明は、前記圧縮手段は、前記非特性属性の多値画像と決定した各色からなる前記特定属性二値画像を各々に別の方式で圧縮符号化することを特徴とする。
また請求項８記載の発明は、前記縮小手段により作成した特定領域と非特定領域の縮小画像と、前記圧縮手段により作成した特定領域と非特定領域の圧縮画像を複数のレイアとして１つのファイルに合成して保存する保存手段を備えたことを特徴とする。
【０００７】
また請求項９記載の発明は、前記縮小手段により作成した特定領域と非特定領域の縮小画像を合成した合成縮小画像、及び前記圧縮手段により作成した特定領域と非特定領域の圧縮画像を合成した合成圧縮画像を送信可能としたことを特徴とする。
また請求項１０記載の発明は、前記縮小手段により作成した特定領域と非特定領域の縮小画像を合成した合成縮小画像、及び前記圧縮手段により作成した特定領域と非特定領域の圧縮画像を合成した前記合成圧縮画像を印刷可能としたこと特徴とする。
【発明の効果】
【０００８】
以上説明したように、本発明の画像処理装置によれば、分離手段により画像データを特定領域と非特定領域に分離し、分離した特定領域と非特定領域とを縮小手段によりそれぞれ異なる方式により縮小した後、特定領域と非特定領域とを合成表示手段により合成することで、画像縮小時に文字の線が消えてしまうといった不具合を防止することができる。
また、本発明の画像縮小処理を圧縮画像の作成処理と同時に行うようにすると、特定領域と非特定領域に分離する分離処理を共有することができるので、それだけ処理の簡略化、及び処理の高速化を図ることが出来る。
【発明を実施するための最良の形態】
【０００９】
以下に添付の図を参照して本発明の実施形態を詳細に説明する。
図１は、本発明による画像処理装置の実施形態の構成図である。
図１に示す本実施形態の画像処理装置は、ソフトウェアによって実現する場合の構成例であり、ＣＰＵ１１、メモリ１２、ハードディスク１３、マウス等の入力装置１４、ディスクドライブ１５、ディスプレイ１６などが内部バス１０により接続された汎用の画像処理装置により構成されている。
ディスクドライブ１５に装填され、読み出しが行われるＣＤやＤＶＤ−ＲＯＭなどの記録媒体１７には本発明の処理機能や処理手順を実現させるためのプログラムが記録されている。
また処理対象の原画像は、例えばハードディスク１３などに格納されている。ＣＰＵ１１は、記録媒体１７から上述した処理機能、手順を実現するプログラムを読み出して実行する。そして、画像処理の結果をハードディスク１３に保存し、必要に応じてディスプレイ１６に出力する。
【００１０】
次に、本発明による画像処理装置の第１実施形態について説明する。
図２は、第１実施形態としての画像処理装置が実行する動作を示した図であり、この図２に示すように本実施形態の画像処理装置では画像データが入力されると（Ｓ１０１）、入力画像を文字部（特定領域）とそれ以外の領域（非特定領域）に分離する（Ｓ１０２）。
次に、分離した文字部（特定領域）とそれ以外の背景領域（非特定領域）を、それぞれ異なった縮小方式で縮小する処理を実行する（Ｓ１０３、Ｓ１０４）。
そして、上記のように特定領域と非特定領域とを異なる縮小方式により縮小した２枚の縮小画像を表示する際には、これら２枚の縮小画像を合成した後（Ｓ１０５）、表示あるいは保存する（Ｓ１０６）。
【００１１】
ここで、本実施形態における縮小方式について説明しておく。
画像のファイルサイズを小さくする方法には、縮小方式と圧縮方式があり、圧縮方式がファイルの画素数はそのままでファイルサイズを小さくする方法であるのに対して、縮小方式はファイルの画素数や解像度を減らすことによりサイズを小さくする方法である。
これまで特定領域と非特定領域に分けて夫々異なる圧縮方式によりファイルサイズを小さくする提案を多数行ってきたが、本発明では特定領域と非特定領域に分けて夫々異なる縮小方式によりファイルサイズを小さくするようにしたものである。
【００１２】
図３は縮小方式による縮小の概念に示した図であり、図３（ａ）に示すような入力画像を図３（ｂ）に示すようなメッシュ上の小領域（ｍ×ｎ画素サイズ）に分割し、その小領域の中の画素から、図３（ｃ）に示すような１画素（＝代表値）Ｐを決定する。そして、同図（ｄ）に示すように、その代表値Ｐでオリジナルファイルの１／（ｎ×ｍ）の縮小画像を作成するようにしている。なお、ｎ＝ｍでも構わないものである。
【００１３】
領域（ｍ×ｎ画素サイズ）、
代表値Ｐの決め方としては、
（１）ｎ×ｍ画素の特定の画素（例えば左隅）を代表値とする
（２）ｎ×ｍ画素の平均色を代表値とする
（３）ｎ×ｍ画素の最も暗い色を代表値とする
（４）ｎ×ｍ画素の最も明るい色を代表値とする
（５）ｎ×ｍ画素のなかのランダムな画素を代表値とする
（６）ｎ×ｍ画素のなかの最も頻度が高い画素を代表値とする
ことが考えられる。
【００１４】
（２）の平均色の算出方法としては、ｍ×ｎ画素の領域内の画素のＲ，Ｇ，Ｂの各値の平均値（Ｒｍ，Ｇｍ，Ｂｍ）を求める。
Ｒｍ＝（ΣＲ）／Ｎ
Ｇｍ＝（ΣＧ）／Ｎ
Ｂｍ＝（ΣＢ）／Ｎ
但し、Ｎ＝ｍ×ｎ
また（３）の最も暗い色の算出方法としては、ｍ×ｎ画素の領域内の画素のＲ，Ｇ，Ｂ値から明度（＝（Ｒ＋Ｇ＋Ｂ）／３）を求め、ｍ×ｎ画素の中で最も明度の小さい値を代表値とする。
また（４）の最も明るい色の算出方法としては、上記（３）と同様に明度を求め、最も明度の大きい値を代表値とする。
また（５）のランダムな画素の算出方法としては、１〜Ｎ（Ｎ＝ｍ×ｎ）の値をランダムに発生することができる乱数発生手段により発生させた値によりｍ×ｎの中の画素値を決定する。具体的には、図４に示す左隅（０，０）の値、２であれば（０，１）の画素値というようにする。図４にはｍ×ｎ＝４×２の例が示されている。
また（６）の頻度の高い画素値の算出方法としては、Ｒ，Ｇ，Ｂ値の度数ヒストグラムを作成し、最も頻度の高い値を用いるようにする。
【００１５】
文字部に有効な縮小方式としては、代表値Ｐを上記（２）（３）（４）から決めることが好ましい。但し、上記（３）（４）による代表値Ｐの決め方に関しては、画像の特性に応じて切り替えるようにするとより良い。具体的には白地上の黒文字の場合は上記（３）の決め方により代表値Ｐを決定し、黒地上の白文字の場合は上記（４）の決め方により代表値Ｐを決定すればよい。
また非文字部に有効な縮小方式としては代表値Ｐを上記（１）（２）（５）（６）から決めるようにすれば良い。
【００１６】
本実施の形態では、縮小方式として、例えば一方が特定の画素（例えば左隅）を代表値にして画像データを間引きして縮小する間引き処理、他方が画素領域の平均色をその代表色とする平均色化の処理とし、文字部（特定領域）に平均色化の処理を施し、背景領域（非特定領域）に間引き処理を施すようにする。これは即ち、本実施形態では原画像を縮小して縮小画像（サムネール画像）を作成する際に、文字部に対して間引き処理を行うと文字の線が消えてしまうなどの不具合が生じるので、例えば１／ｎの大きさの縮小画像を作る場合はｎ×ｎ画素領域の平均色をその代表色としてサムネール画像を作成する。これにより画像縮小時における文字の線が消えるといった不具合を解消することができる。
【００１７】
また他の縮小方式として、例えば一方が最暗色を代表色とする処理、他方が最明色を代表色とする処理にすることも考えられる。この場合は、ｎ×ｎ領域の最も暗い画素値や最も明るい画素値を代表色としてサムネール画像を作成する。
このとき、先に述べたように、文字部に最も暗い画素を選ぶ場合は、例えば白地に黒い文字の場合で、逆に黒字に白い文字の場合は明るい画素を選ぶことで、文字部の文字が消える現象を防ぐことができる。また文字部の画像を二値化処理してＯＲ処理を行っても同様の効果が得られる。さらには非特定領域（背景）の色によって背景が白地か黒地かを選び、代表色を選択する選択方式を切り替えても良い。
背景の色の求め方としては、ｎ×ｎ領域内の平均色を算出し、予め決めてある閾値（ｔｈ）と比較することで判断することができる。
例えば、平均色の画素値が閾値（ｔｈ）より小さい場合は黒地と判断し、そうでなければ白地と判断する。
【００１８】
なお、平均色化の処理、間引き処理、最暗色を代表色とする処理、最明色を代表色とする処理とを以下のように状況（非特定領域の特性等）に応じて組み合わせることもできる。また、縮小画像の表示方法としては特定領域と非特定領域の縮小画像を合成した合成縮小画像を保存しておいても良いし、夫々の縮小画像を別々に保存しておいてディスプレイ１７に表示する時に合成して表示しても構わない。
【００１９】
図５は上記図２に示した処理動作による画像遷移を示した図であり、画像Ｉｏは入力されたオリジナルのカラー画像、画像Ｉｆ、Ｉｂは文字部（特定領域）とそれ以外の領域（非特定領域）に分離した画像、画像Ｉｆｔ、Ｉｂｔは夫々異なる縮小方式により縮小した縮小画像である。そして、画像Ｉｔはこれら２枚の縮小画像Ｉｆｔ、Ｉｂｔを合成した合成画像であり、この合成画像Ｉｔが表示あるいは保存されることになる。
このように本発明の画像処理装置の第１実施形態によれば、入力された入力画像を特定領域と非特定領域に分離し、特定領域と非特定領域とを夫々異なる縮小方式に縮小するようにしたことで最適な縮小画像を作成することができる。
また２つの縮小画像を複数のレイアを有することが可能なファイルフォーマットに合成し、１つのファイルとして保存すると簡便に取り扱うことが出来るようになる。
【００２０】
次に、図６を参照して本発明の画像処理装置の第２実施形態について説明する。
図６は第２実施形態としての画像処理装置が実行する動作を示した図である。
この図６に示す画像処理装置では、文書フォーマットの一種である高圧縮ＰＤＦ（高圧縮ポータブルドキュメントフォーマット）を作成する文書フォーマット作成部（圧縮手段）において高圧縮ＰＤＦを作成する際に、特定領域と非特定領域に分離するようにしていることから、この分離データを利用して画像の縮小処理を同時に行うようにしている。
この場合、画像処理装置は画像データが入力されると（Ｓ２０１）、入力画像を文字部（特定領域）とそれ以外の領域（非特定領域）に分離する（Ｓ２０２）。このような画像データの分離処理は、後述する高圧縮ＰＤＦを作成する文書フォーマット作成処理部において実行される。
そして、本実施形態では、上記文書フォーマット作成処理部により分離した文字部（特定領域）とそれ以外の背景領域（非特定領域）を利用して、それぞれ異なった縮小方式で縮小する処理を実行する（Ｓ２０３、Ｓ２０４）。
【００２１】
この場合の縮小方式として、上記同様、例えば一方が画像データを間引きして縮小する間引き処理、他方が画素領域の平均色をその代表色とする平均色化の処理とし、文字部（特定領域）に平均色化の処理を施し、背景領域（非特定領域）に間引き処理を施してサムネール画像を作成し、例えば一方が最暗色を代表色とする処理、他方が最明色を代表色とする処理を施してサムネール画像を作成する。
また、上記文書フォーマット作成部において分離した文字部（特定領域）とそれ以外の背景領域（非特定領域）は以下に説明する高圧縮ＰＤＦの作成処理により圧縮する（Ｓ２０５、Ｓ２０６）。
上記のように作成した特定領域の圧縮画像と非特定領域の圧縮画像、及び特定領域の縮小画像と非特定領域の縮小画像を合成する（Ｓ２０７）、そして作成した特定領域の圧縮画像と非特定領域の圧縮画像と特定領域の縮小画像と非特定領域の縮小画像を複数のレイアとして１つのファイルに合成して保存する（Ｓ２０８）。またこの時オリジナル画像も同じファイルに保存しても良い。
【００２２】
図７は上記図６に示した処理動作による画像遷移を示した図である。
画像Ｉｏは入力されたオリジナルのカラー画像、画像Ｉａはオリジナルカラー画像Ｉｏを２値化した画像、画像Ｉｆ、Ｉｂは二値化画像Ｉａの情報を利用して文字部（特定領域）とそれ以外の領域（非特定領域）に分離した画像、画像Ｉｆｃ、Ｉｂｃは夫々異なる圧縮方法により圧縮した圧縮画像、画像Ｉｆｔ、Ｉｂｔは夫々異なる縮小方式により縮小した縮小画像である。異なる圧縮方式の例としては、例えば圧縮画像ＩｆｃにはＪｐｅｇ２０００、圧縮画像ＩｂｃにはＪｐｅｇを用いるようにする。
なお、図７に示す画像Ｉｆと圧縮画像Ｉｆｃとの画像サイズは異なるように見えるが、ここでは圧縮処理が施されているので解像度（画素数）は変わらないものである。また画像Ｉｂと圧縮画像Ｉｂｃとも同様に解像度（画素数）は変わらないものである。
また、圧縮画像Ｉｆｃと縮小画像Ｉｆｔとの解像度（画素数）の関係は、圧縮画像Ｉｆｃのほうが縮小画像Ｉｆｔに比べて大きくなる。圧縮画像Ｉｂｃと縮小画像Ｉｂｔとの関係も同様である。つまり、入力画像に対する各画像の解像度の関係は、入力画像≧圧縮画像＞縮小画像となる。
【００２３】
図８は上記図６に示した処理動作による画像遷移の他の例を示した図である。なお、図７と同一画像には同一符号を付して説明は省略する。
この図８は画像Ｉｆが２つの異なる画像Ｉｆ1、Ｉｆ2に分かれている点が上記図７とは異なる。この場合、画像Ｉｆの圧縮方式として、２値画像を対象とした圧縮方式、例えばＦａｘなどで用いられているＭＲＲ方式の場合は、画像Ｉｆを構成する文字の色ごとに複数枚の画像Ｉｆ1、Ｉｆ2を作成して圧縮する。また各種圧縮画像Ｉｆ1c、Ｉｆ2cごとの文字色も合わせて保持する。なお、このときの圧縮画像Ｉｆ1c、Ｉｆ2cの圧縮方式は一般的に同じで良い。
【００２４】
このように本発明の画像処理装置の第２実施形態においては、入力された入力画像を特定領域と非特定領域に分離し、特定領域と非特定領域とを夫々異なる圧縮方式により圧縮して入力画像と解像度が同じか或いは解像度を減らした圧縮画像を作成すると共に、特定領域と非特定領域とを夫々異なる縮小方式により縮小して圧縮画像より解像度を減らした縮小画像を作成するようにしている。このように圧縮画像と縮小画像という解像度の異なる２つの画像を作成すると、様々な表示形態を実現することができる。
例えば、文書管理ソフトなどにおいて、サムネール画像により複数のファイルを一覧表示する場合は縮小画像を表示し、その内容の詳細を確認する際には圧縮画像を表示することが可能になる。
また、携帯電話など通信帯域の小さい環境で画像を表示するとき等は、先ず縮小画像を表示し、内容の詳細を確認したければ圧縮画像を表示することが可能になる。
【００２５】
以下、図９〜図１１を参照して高圧縮ＰＤＦ画像の作成方法について説明する。
図９は、高圧縮ＰＤＦを作成する文書フォーマット作成部の機能ブロック図、図１０は図９に示した文書フォーマット作成部の処理を示した図、図１１は図１０に示した処理の概念図である。
図９に示す文書フォーマット作成部は、分離手段を構成する多値画像取得部２１、二値画像取得部２２、特定属性部消去画像生成部２３、特定属性部抽出部２４、白画素置換部２５、特定属性部色決定部２６、特定属性画素画像生成部２７と、圧縮手段を構成する画像符号化部２８、まとめファイル作成部２９とにより構成される。
このように構成される文書フォーマット作成部は、イメージスキャナなどの多値画像取得部２１を用いて、図１１に示すような原画像（多値）Ｉｏの文書画像を取得し（Ｓ３０１）、この多値画像取得部２１により取得した多値画像を二値画像取得部２２により二値化して図１１に示すような二値画像Ｉａを取得する（Ｓ３０２）。次に、特定属性部抽出部２４により二値画像から特定の属性を持つ部分、例えば文字部分の位置を特定して抽出する（Ｓ３０３）。
【００２６】
なお、ここでは二値画像から特定領域を取得するものとして以下説明を行うが多値（カラーを含む）から文字領域抽出を行ってももちろん構わない。
多値画像から直接取得する技術は、上記特許文献２等に開示されている。また多値画像から二値画像を生成して二値画像から取得する技術は例えば特開平６−２００９２号公報等に開示されている文字領域抽出技術を用いれば良い。
次に、白画素置換部２５により、図１１に示すように二値画像Ｉａの文字以外の白画素に置換して文字だけを残した画像Ｉｆにする（Ｓ３０４）。なお、このような処理により文字の位置が画素単位でわかることになる。
【００２７】
次に、特定属性部消去画像生成部２３により、図１１に示すような特定属性部分（文字領域）を消去した画像Ｉｂを作成する（Ｓ３０５）。なお、カラー画像においては、文字部分の画素を周囲の色で置換した画像を作ればよい。
次に、特定属性部色決定部２６により、特定属性部分の色を決定する（Ｓ３０６）。即ち文字を構成する黒画素の位置にあるカラー画像の画素色をすべて求め、このデータから多く使われている色を数色選んで代表色とする。そして、画素毎、あるいは連結成分ごとに文字を構成する画素がどの代表色に最も近いかを判断する。
次に、特定属性画素画像生成部２７により、図１１に示すように、特定属性を持つ画素により、画素ごとあるいは連結成分ごとに判断した色を持つ画像Ｉｆ1、Ｉｆ2を生成する（Ｓ３０７）。なお、ここでは二値画像を色ごとに１つずつ持つものとして以下説明を行うが、限られた色のみをもつ多値画像でもよいし、色ごとに１つずつ二値画像をもっても良い。
【００２８】
次に、画像符号化部２８により、生成された特定属性画素を消去した画像と、特定属性画素のみからなる画像から圧縮画像を生成する（Ｓ３０８）。即ち、前者はＪＰＥＧ圧縮、後者はＭＭＲ圧縮を行うとファイルサイズが効率的に小さくなる。
次に、まとめファイル作成部２９により、特定属性部を消去した画像に、特定属性画素のみからなる画像を重ね合わせ表示できる形で合成する（Ｓ３０９）。これらを重ね合わせてみれば、背景の上に文字が貼り付いている形となり、原画像と同様に見ることができる高圧縮ＰＤＦが得られることになる。
以上の処理により、高圧縮ＰＤＦを作成する文書フォーマット作成部において、多値文書画像を文字の視認性を低下させずにファイルサイズの大幅な圧縮が可能な高圧縮ＰＤＦ画像を作成することができる。
【００２９】
また、本実施の形態においては、上記のように作成した合成縮小画像や合成圧縮画像のファイルをインターネット等に代表される通信手段を介して送信したり、ディスプレイのような画像表示装置やプリンタ等の外部出力装置に対して出力して印刷したりすることも勿論可能である。
【図面の簡単な説明】
【００３０】
【図１】本発明による画像処理装置の実施形態の構成図。
【図２】本発明による画像処理装置の第１実施形態の動作フローチャート。
【図３】縮小方式による縮小の概念を示した図。
【図４】ｍ×ｎ画素の領域の一例を示した図。
【図５】第１実施形態の処理動作による画像遷移を示した図。
【図６】本発明による画像処理装置の第２実施形態の動作フローチャート。
【図７】第２実施形態の処理動作による画像遷移を示した図。
【図８】第２実施形態の処理動作による画像遷移の他の例を示した図。
【図９】高圧縮ＰＤＦを行う場合の画像処理装置の実施形態の機能ブロック図。
【図１０】図９に示した画像処理装置の動作フローチャート。
【図１１】図１０に示した動作処理の概念図。
【符号の説明】
【００３１】
１０  内部バス、１１  ＣＰＵ、１２  メモリ、１３  ハードディスク、１４  入力装置、１５  ＲＯＭドライブ、１６  ディスプレイ１６  記録媒体２１  多値画像取得部、２２  二値画像取得部、２３  特定属性部消去画像生成部、２４  特定属性部抽出部、２５  白画素置換部、２６  特定属性部色決定部、２７  特定属性画素画像生成部、２８  画像符号化部、２９  まとめファイル作成部
【図１】
2006222940.tif 000003
【図２】
2006222940.tif 000004
【図３】
2006222940.tif 000005
【図４】
2006222940.tif 000006
【図５】
2006222940.tif 000007
【図６】
2006222940.tif 000008
【図７】
2006222940.tif 000009
【図８】
2006222940.tif 000010
【図９】
2006222940.tif 000011
【図１０】
2006222940.tif 000012
【図１１】
2006222940.tif 000013